(57)【要約】【課題】片手保持状態において安定して姿勢を保持でき、位置ズレや、手からの滑落を防止可能な携帯情報端末機用ケースを提供する。【解決手段】表示面を有する携帯情報端末機Ｓに取着される携帯情報端末機用ケースであって、携帯情報端末機Ｓへの取着状態で、上記携帯情報端末機Ｓの背面側に対応する部位Ｐに、片手保持状態における携帯情報端末機Ｓの安定姿勢保持のための複数の指掛け用孔８を設けた。【選択図】図２
2014143586.tif 000002
【特許請求の範囲】
【請求項１】
表示面を有する携帯情報端末機（Ｓ）に取着される携帯情報端末機用ケースであって、
上記携帯情報端末機（Ｓ）への取着状態で、上記携帯情報端末機（Ｓ）の背面側に対応する部位（Ｐ）に、片手保持状態における上記携帯情報端末機（Ｓ）の安定姿勢保持のための複数の指掛け用孔（８）を設けたことを特徴とする携帯情報端末機用ケース。
【請求項２】
上記指掛け用孔（８）は、背面側開口部に向かって孔横断面積が縮小する逆テーパ状に形成して、背面側開口縁部（８ａ）が鋭角を成す請求項１記載の携帯情報端末機用ケース。
【発明の詳細な説明】
【技術分野】
【０００１】
本発明は、携帯情報端末機用ケースに関する。
【背景技術】
【０００２】
従来のスマートフォン等の携帯情報端末機用ケースは、携帯情報端末機の外側面と背面を覆って、傷等の損傷を防止すると共に装飾するためのものがあった（例えば、特許文献１参照）。
【先行技術文献】
【特許文献】
【０００３】
【特許文献１】登録実用新案第３１６４７３０号公報
【発明の概要】
【発明が解決しようとする課題】
【０００４】
しかし、携帯情報端末機を片手で持つ片手保持状態で、タッチパネルに指を摺接させて操作した場合や、表示面の見やすい傾斜姿勢にしようとした場合に、位置ズレや滑落が発生するといった問題があった。
【０００５】
そこで、本発明は、片手保持状態において安定して姿勢を保持でき、位置ズレや手からの滑落を防止可能な携帯情報端末機用ケースの提供を目的とする。
【課題を解決するための手段】
【０００６】
上記目的を達成するために、本発明の携帯情報端末機用ケースは、表示面を有する携帯情報端末機に取着される携帯情報端末機用ケースであって、上記携帯情報端末機への取着状態で、上記携帯情報端末機の背面側に対応する部位に、片手保持状態における上記携帯情報端末機の安定姿勢保持のための複数の指掛け用孔を設けたものである。
また、上記指掛け用孔は、背面側開口部に向かって孔横断面積が縮小する逆テーパ状に形成して、背面側開口縁部が鋭角を成すものである。
【発明の効果】
【０００７】
本発明によれば、片手保持状態において、携帯情報端末機が手に対して位置ズレせず（滑らず）、安定して姿勢を保持でき、タッチパネル等の操作部を容易かつ安全に（落とさずに）操作できる。また、携帯情報端末機を所望の角度に容易に傾斜できる。特に、子供等の手の平の小さい人や、高齢者等の握力の弱い人であっても、容易かつ確実に滑落を防止できる。
【図面の簡単な説明】
【０００８】
【図１】本発明の実施の一形態を示す正面図である。
【図２】片手保持状態を示す斜視図である。
【図３】指掛け用孔の一例を示す要部拡大断面図である。
【図４】他の実施形態を示す正面図である。
【図５】図４のＡ−Ａ断面図である。
【図６】図４のケース本体部のＢ−Ｂ断面図である。
【図７】他の実施形態の一部破断背面図である。
【図８】図４のＣ−Ｃ断面図である。
【図９】横置き使用状態を説明するための側面断面図である。
【図１０】横置き使用状態を説明するための側面断面図である。
【図１１】横置き使用状態を説明するための側面断面図である。
【図１２】横置き使用状態を説明するための側面断面図である。
【図１３】横置き使用状態を説明するための側面断面図である。
【図１４】縦置き使用状態を説明するための側面図である。
【図１５】縦置き使用状態を説明するための側面図である。
【図１６】縦置き用当り部を説明するための平面断面図である。
【図１７】要部拡大断面図である。
【図１８】さらに他の実施形態の正面図である。
【図１９】さらに他の実施形態の側面図である。
【図２０】さらに他の実施形態の縦置き使用状態の側面図である。
【図２１】別の実施形態の正面図である。
【発明を実施するための形態】
【０００９】
以下、図示の実施形態に基づき本発明を詳説する。
本発明に係る携帯情報端末機用ケースは、図１に示すように、携帯情報端末機Ｓに取着されるものである。
携帯情報端末機Ｓは、表て面に、タッチパネル操作部に対応した（タッチパネル操作部と一体状の）表示面を有するものであって、例えば、スマートフォンやタブレット型のパーソナルコンピューター（ＰＣ）、電子辞書、ミュージックプレイヤ、携帯型ゲーム機、タブレット型のゲーム機やタブレット型の電子書籍等である。
【００１０】
携帯情報端末機Ｓの長手方向に沿った一対の縦側壁部11，11と、携帯情報端末機Ｓの幅方向に沿った一対の横側壁部13，13と、携帯情報端末機Ｓへの取着状態で携帯情報端末機Ｓの背面側に対応する部位Ｐである背壁部12と、を有する矩形状の前方開口浅箱型に形成されている。そして、正面視略矩形状の携帯情報端末機Ｓに外嵌状に取着される。
【００１１】
背壁部12（携帯情報端末機Ｓの背面側に対応する部位Ｐ）には、片手保持状態における携帯情報端末機Ｓの安定姿勢保持のための複数の指掛け用孔８を設けている。
つまり、図２に示すように、指掛け用孔８は、携帯情報端末機Ｓが片手で持たれた片手保持状態（片手使用状態）で、その片手の指が引っ掛け（係止）可能に、背壁部12に貫設されている。
【００１２】
また、図３に示すように、指掛け用孔８は、携帯情報端末機Ｓ側（背壁部12の内面側）から、背面側開口部（背壁部12の外面12ａ側）へ向かって、孔横断面積が縮小する逆テーパ（孔）状に形成している。そして、背面側開口縁部８ａの角度θｄが鋭角を成している。
つまり、背面側開口縁部８ａから表て面側開口縁部８ｂへ向かって、孔横断面積が拡大するように形成して、断面視で、背壁部12の外面12ａと指掛け用孔８の内面８ｄの間の角度θｄを鋭角としている。
なお、背面側開口縁部８ａの角度θｄは、６０°以上８５°以下とするのが好ましい。６０°未満であると指を傷付ける虞があり、また、８５°を越えると、指の引っ掛かりが難しくなる。
また、指掛け用孔８の背面視形状を、円形乃至長円形（楕円を含む）、より好ましくは円形状とすることで、様々な姿勢や向きの指先を容易に掛けることができると共に製作も容易である。
【００１３】
例えば、図２に示すように、使用者が一方の手で把持した片手保持状態において、他方の手の指を表示面に摺接操作（スライド操作）してタッチパネル等の操作部を操作すると、他方の手の指と表示面の摩擦によって、携帯情報端末機Ｓが指のスライド方向へ移動しようとするが、指掛け用孔８に一方の手の指が掛かっている（係止されている）ので、位置ズレが防止され、携帯情報端末機Ｓの安定姿勢が保持される。また、携帯情報端末機Ｓを所望の姿勢（傾斜状）にした場合も、指掛け用孔８に指が掛かることで、姿勢を安定して保持し、手からの滑落を防止する。また、片手で持ち歩く際にも指が引っ掛かって、脱落が防止される。また、カバン等から取り出す際に、指掛け用孔８に指を掛けて、容易かつスムーズに片手で取り出すことができる。
また、背面側開口縁部８ａが鋭角を成すことで、指に食い込み状に引っ掛かって、指係止状態が保持され（安定し）、指の外れが防止され、位置ズレや滑落をより確実に防止できる。
【００１４】
また、複数の指掛け用孔８を、携帯情報端末機Ｓの幅方向に沿って並設することで、図２に示すように携帯情報端末機Ｓの長手方向を上下方向とした縦向き片手保持状態で、無理なく容易に複数本の指を、夫々、指掛け用孔８に容易に掛けることができ、縦向き片手保持状態での姿勢安定性が向上する。
また、複数の指掛け用孔８を、携帯情報端末機Ｓの長手方向に沿って並設することで、図示省略するが携帯情報端末機Ｓの幅方向を上下方向とした横向き片手保持状態で、無理なく容易に複数本の指を、夫々、指掛け用孔８に容易に掛けることができ、横向き片手保持状態での姿勢安定性が向上する。
【００１５】
また、図１に示すように、縦側壁部11，11及び横側壁部13，13には、取着された携帯情報端末機Ｓの表て面の前方に突出し、携帯情報端末機Ｓの表て面を係止する取付用凸部20を有している。そして、携帯情報端末機Ｓを着脱可能に、縦側壁部11，11及び横側壁部13，13と取付用凸部20を弾性変形可能に設けている。
また、図17に示すように、縦側壁部11には側面操作部Ｓｄを操作するためや、外部機器接続用端子（充電端子やイヤホン端子、マイク端子等）に外部機器を接続するための貫孔や切欠等の逃がし部96を設けている。また、図示省略するが横側壁部13にも逃がし部96を設けている。
なお、図１及び図２に示した携帯情報端末機用ケースは、言い換えると、縦側壁部11，11と横側壁部13，13と背壁部12を有する前方開口浅箱型のケース本体部１から成るとも言える。
【００１６】
次に図４乃至図16に示す他の実施形態について説明する。
先ず、図４乃至図７に於て、携帯情報端末機Ｓの長手方向に沿った両縦側壁部Ｓａ，Ｓａを抱き込み状に保持する一対の縦側壁部11，11と、携帯情報端末機Ｓの背面側に配設される背壁部12と、を有する横断面略コの字状のケース本体部１を備えている。
ケース本体部１は両縦側壁部11，11の挟持力（弾性的復元力）や摩擦力によって、携帯情報端末機Ｓに対して縦方向にスライド自在に取着している。
【００１７】
ケース本体部１は、背面側（背壁部12）に矩形状窓部10を有している。
窓部10は、ケース本体部１（携帯情報端末機Ｓ）の長手方向（縦方向）に沿った一対の長辺部10ａ，10ｂと、幅方向（横方向）に沿った一対の短辺部10ｃ，10ｄを、有する長方形状に形成されている。
【００１８】
そして、窓部10の一長辺部（一方の長辺部）10ａに揺動自在に設けられる矩形状の第１板部31と、第１板部31の先端部31ｂに折り曲げ自在に設けられた矩形状の第２板部32と、を有し、第１板部31と第２板部32とが折り畳まれて窓部10に収納される折畳支持部３を備えている。また、折畳支持部３は収納状態で正面視長方形状に形成されている。
【００１９】
ケース本体部１は、窓部10の一対の短辺部10ｃ，10ｄ夫々から突出する凸条部98，98を有している。一対の凸条部98，98は、収納状態で折畳支持部３の外側露出面（第１板部31の外面）31ｄが、ケース本体部１の背面（背壁部12の外面12ａ）と面一状に収納される収納所定位置で、折畳支持部３（の第１板部31の両短辺部）に当接して前方への揺動を阻止するように設けている。
【００２０】
また、折畳支持部３は、収納状態において、第１板部31と第２板部32との折曲縁部30（第１板部31の先端縁）が、窓部10の他長辺部（他方の長辺部）10ｂに係止されて、後方への開き揺動が防止される。
また、使用者が収納状態の折畳支持部３を後方へ引くと、第１板部31と第２板部32とが弾性弯曲変形して、折曲縁部30が他長辺部10ｂを乗り越えて、折畳支持部３が後方へ引き出されるように設けている。
【００２１】
折畳支持部３は、第２板部32の先端部32ｂの長手方向中間部に突設された係止用爪部32ｅを有すると共に、第２板部32の幅方向中間部かつ長手方向中間部にコの字状乃至Ｕ字状の切欠部をもって形成された複数の揺動片92を有している。
複数の揺動片92とは、第２板部32の先端部32ｂ寄りに配設される第１揺動片92Ａと、第１揺動片92Ａよりも第２板部32の基端部32ａ（第１板部31の先端部31ｂ）側に配設される第２揺動片92Ｂと、である。
【００２２】
そして、図４と図５と図７と図８に於て、携帯情報端末機Ｓへの取着状態で、携帯情報端末機Ｓの背面側に対応する部位Ｐである背壁部12及び折畳支持部３に、指掛け用孔８を複数設けている。つまり、背壁部12を貫通する複数の指掛け用孔８と、折畳支持部３の第１板部31を貫通する複数の指掛け用孔８とを、設けている。
折畳支持部３を収納状態にして、片手で保持して使用する場合に（片手保持状態で）、指掛け用孔８に指先を引っ掛けて位置ズレや滑落を防止できる。
【００２３】
そして、図８に示すように、指掛け用孔８は、背面側開口縁部８ａから表て面側開口縁部８ｂへ向かって、孔横断面積が拡大するように形成して、断面視で、背面側開口縁部８ａの角度θｄ（折畳支持部３の収納状態で背壁部12の外面12ａと面一状の第１板部31の外面31ｄと、指掛け用孔８の内面８ｄの間の角度θｄ）を鋭角としている。
【００２４】
また、図８に示すように、折畳支持部３の第２板部32に、折畳支持部３の収納状態で、指掛け用孔８と同心状に配設されて連通する指逃がし孔９を貫設している。
指逃がし孔９は、指掛け用孔８の表て面側開口縁部８ｂの孔横断面積（開口寸法ｄ）よりも大きな孔横断面積（開口寸法Ｄ）をもってストレート（孔）状に形成している。
指逃がし孔９を設けることで、指が深く引っ掛かり（深く差込みでき）、指が外れるのを防止できる。また、指を容易に引っ掛けることができる。
【００２５】
そして、折畳支持部３は、机等の設置面Ｇに置いてケース本体部１の傾斜姿勢を保持するために、図４乃至図７の収納状態から、図９乃至図13に示すように、第１板部31と第２板部32とがＶ字状として後方へ引き出されて第２板部32がケース本体部１に係止されたＶ字起立状態に、切り換わるように設けている。なお、図９乃至図13に於て、指掛け用孔８を図示省略している。
【００２６】
図９と図10に示すように、ケース本体部１は、折畳支持部３のＶ字起立状態で、第２板部32の先端部32ｂを係止する複数の横置き用当り部17を有している。
【００２７】
図４及び図７に示すように、複数の横置き用当り部17とは、窓部10の他長辺部10ｂの長手方向中間部位をもって形成される第１横置き用当り部17Ａと、窓部10の両短辺部10ｃ，10ｄ近傍かつ窓部10の幅方向中間位置に窓部内方凸状に設けられる第２横置き用当り部17Ｂと、である。
第１横置き用当り部17Ａは、第２板部32の係止用爪部32ｅを係止し、第２横置き用当り部17Ｂは、第２板部32の先端部32ｂの先端両端部32ｆを係止するように設けている。
【００２８】
また、図４及び図７に示すように、第２横置き用当り部17Ｂ近傍の凸条部98，98を切り欠いて、第２横置き用当り部17Ｂに係止された第２板部32の先端両端部32ｆが差し込まれる横置き用先端差込部15を設けている。つまり、先端両端部32ｆを横置き用先端差込部15に差し込んで係止状態を保持するようにしている。
また、凸条部98は、第２板部32の先端両端部32ｆを摺接させて、横置き用当り部17へ案内するガイドレール部でもある。
【００２９】
また、ケース本体部１は、背壁部12の長手方向中間部かつ窓部10の他長辺部10ｂ近傍に、揺動片92（92Ａ，92Ｂ）を係止する後方開口状の係止用孔部19を一つ有している。
係止用孔部19は、第１揺動片92Ａと第２揺動片92Ｂの両方に対応した共用孔部（併用）である。また、係止用孔部19は差し込まれた揺動片92に適度な摩擦力を発揮する複数の丸山状の凸部19ａ，19ａを有している。
【００３０】
そして、図９乃至図13に示すように、携帯情報端末機Ｓの幅方向を上下方向とした横置き使用状態において、ケース本体部１と第２板部32の係止位置を変更して、携帯情報端末機Ｓの横置き姿勢の傾斜角度（携帯情報端末機Ｓの背面と設置面Ｇの間の角度）αを切換自在に構成している。
【００３１】
つまり、図９に示すように、第２板部32の先端部32ｂ（係止用爪部32ｅ）を第１横置き用当り部17Ａに係止した状態の横置き姿勢において、携帯情報端末機Ｓは第１傾斜角度α１をもって支持される。
また、図10に示すように、第２板部32の先端部32ｂ（先端両端部32ｆ）を第２横置き用当り部17Ｂに係止した状態の横置き姿勢において、携帯情報端末機Ｓは（第１傾斜角度α１よりも大きな）第２傾斜角度α２をもって支持される。
また、図11に示すように、第２板部32の第１揺動片92Ａを前方へ揺動させて係止用孔部19に係止した状態の横置き姿勢において、携帯情報端末機Ｓは（第１傾斜角度α１よりも小さな）第３傾斜角度α３をもって支持される。
また、図12に示すように、第２板部32の第２揺動片92Ｂを前方へ揺動させて係止用孔部19に係止した状態の横置き姿勢において、携帯情報端末機Ｓは（第３傾斜角度α３より小さな）第４傾斜角度α４をもって支持される。
【００３２】
また、図９乃至図12に於て、第１板部31を設置面Ｇ側として横倒Ｖ字状起立状態とした横置き姿勢であるが、ケース本体部１の上下を反転させ、第２板部32を設置面Ｇ側としても、携帯情報端末機Ｓを横置き姿勢に支持可能に構成している。
例えば、図９の横置き使用状態から、ケース本体部１を上下を反転させ、第２板部32を設置面Ｇ側として、図13に示すように携帯情報端末機Ｓを横置き姿勢に支持可能である。
【００３３】
また、折畳支持部３の第２板部32の先端部32ｂをケース本体部１に係止させ、平面視Ｖ字起立状態とし、図14と図15に示すように、携帯情報端末機Ｓ（ケース本体部１）の長手方向を上下方向とした縦置き使用状態にすると、携帯情報端末機Ｓを、縦置き姿勢の傾斜角度βをもって傾斜状に支持するように構成している。
【００３４】
さらに、ケース本体部１を縦方向（上下方向）にスライドさせて、折畳支持部３の（下方側となった）短辺部３ｂと設置面Ｇとの間の傾倒角度θｂを変化させて、縦置き姿勢の傾斜角度βを無段階に変更（調整）自在に構成している。ケース本体部１は、使用者からの操作力を受けてスライドした後は、携帯情報端末機Ｓとの摩擦抵抗によってスライド後の位置に保持される。
【００３５】
ここで、図16に示すように、ケース本体部１は、折畳支持部３の平面視Ｖ字状起立状態（縦置き使用状態）における第１板部31と第２板部32との稜線Ｑが、平面視でケース本体部１の幅方向略中央位置となるように、第２板部32の先端部32ｂを係止する縦置き用当り部18を有している。
また、ケース本体部１は、縦置き用当り部18に係止された第２板部32の先端両端部32ｆが差し込まれる縦置き用先端差込部16を、縦置き用当り部18近傍の凸条部98，98を切り欠いて設けている。
また、縦置き用当り部18を、第２横置き用当り部17Ｂと併用とし、縦置き用先端差込部16を横置き用先端差込部15と併用としている。
なお、「ケース本体部１の幅方向略中央位置となるように」とは、ケース本体部１の幅寸法をＷとすると、ケース本体部１の一方の縦側面から、第１板部31と第２板部32との稜線Ｑまでの稜線位置寸法Ｙが幅寸法Ｗの半分（Ｗ／２）の０．９倍以上１．１倍以下となるように、稜線Ｑが配設されることを言う。また、図16に於て、指掛け用孔８を図示省略している。
【００３６】
縦置き用当り部18で第２板部32を係止して、ケース本体部１及び携帯情報端末機Ｓを縦置き支持することで、表示面に触れるようなタッチパネル操作等を行なった際に、ケース本体部１を幅方向にバランス良く支持でき、横倒れや揺れが防止され安定する。
【００３７】
また、図９と図11と図12に示すように第１板部31を設置面Ｇ側とした横置き使用状態と、図９と図11と図12の横置き使用状態からケース本体部１と第２板部32の係止位置を変更せずに、第２板部32を設置面Ｇ側とした横置き使用状態とで、横置き姿勢の傾斜角度αが切り換わるように（相違するように）構成している。
【００３８】
つまり、図９と図11と図12に於て、第１板部31を設置面Ｇ側とした横置き姿勢の傾斜角度αよりも、第２板部32を設置面Ｇ側とした横置き姿勢の傾斜角度αが大きくなるように、側面視で第１板部31と第２板部32との稜線Ｑからケース本体部１の一方の縦側壁部11Ａの背面側角部61（一方の縦側壁面と背面の稜線）までの距離より、第１板部31と第２板部32との稜線Ｑからケース本体部１の他方の縦側壁部11Ｂの背面側角部62（他方の縦側面と背面の稜線）までの距離を短く設定している。
【００３９】
例えば、図９の横置き使用状態から、ケース本体部１の上下を反転させ、第２板部32を設置面Ｇ側とした、図13の横置き使用状態とすると、第１板部31と第２板部32の開き角度θａは同じでありながら、第１傾斜角度α１より大きな第５傾斜角度α５をもって、携帯情報端末機Ｓを支持する。
また、図10は稜線Ｑが幅方向中央位置であり、側面視で第１板部31と第２板部32と稜線Ｑからケース本体部１の一方の縦側壁部11Ａの背面側角部61までの距離と、第１板部31と第２板部32と稜線Ｑからケース本体部１の他方の縦側壁部11Ｂの背面側角部62までの距離とは、等しく、第２板部32を設置面Ｇ側としても傾斜角度αは変化しない。
【００４０】
また、図17に示すように、縦側壁部11，11には、携帯情報端末機Ｓをケース本体部１に縦方向へスライド差込状に取着する際や、縦置き姿勢のスライド操作の際に、携帯情報端末機Ｓの縦側壁部Ｓａに突設された、操作ボタン等の側面操作部Ｓｄを押圧しないように逃がすための凹溝部97が形成されている。
また、ケース本体部１の一対の縦側壁部11，11は、保持した携帯情報端末機Ｓの表て面の前方に突出し、携帯情報端末機Ｓの表て面を係止する取付用凸部20を有している。また、携帯情報端末機Ｓをケース本体部１に対して着脱可能に、縦側壁部11，11及び取付用凸部20を弾性変形可能に設けている。
また、他の図では図示省略したが、図17に示すように、縦側壁部11には側面操作部Ｓｄを操作するためや、外部機器接続用端子（充電端子やイヤホン端子、マイク端子等）に外部機器を接続するための貫孔や切欠等の逃がし部96を貫設している。
【００４１】
また、図４と図５と図７に於て、第１板部31は、折畳支持部３を収納操作や展開操作する際に、使用者の指が差込可能な操作用窓部70と、操作用窓部70に差し込まれた指が係止可能な舌片状の操作用突片部71と、を有している第２板部32は、収納状態で操作用窓部70と連通する操作用孔部72を有している。また、図示省略するが、ケース本体部１に、カメラレンズや照明（フラッシュ）、センサ用の窓部や切欠部を設けている。
【００４２】
また、第１板部31と第２板部32の長手方向寸法（縦寸法）は、携帯情報端末機Ｓの長手方向長さ寸法の５０％以上９５％以下に設けている。また、第１板部31と第２板部32の幅方向長さ寸法は、携帯情報端末機Ｓの幅方向長さ寸法の７０％以上９５％以下に設けている。下限値未満であると横置き姿勢での操作力によって後方へ倒れてしまう虞や、安定的に支持できない虞がある。上限値を越えると、ケース本体部１が大きくなって携帯性が悪くなる。また、第１板部31及び第２板部32は、０．５ｍｍ以上４ｍｍ以下の薄板状が好ましい。
【００４３】
次に、図18乃至図20に示すさらに他の実施形態について説明する。主に図４乃至図17の実施の形態と異なる構成を説明する。
ケース本体部１は、長手方向に沿った一対の縦側壁部11，11と幅方向に沿った一辺の横側壁部13とを有する正面視門型の外壁部14と、背壁部12と、を有し、矩形状乃至長円形形状の携帯情報端末機Ｓに対して縦方向にスライド自在に取着する。
【００４４】
携帯情報端末機Ｓの縦置き使用状態において、携帯情報端末機Ｓの下端部に包囲状に取着するキャップ部材５を備えている。キャップ部材５は、携帯情報端末機Ｓの背面側下端縁部Ｓｆを覆う背面側下端縁部用の補足部51を有している。補足部51は、縦置き使用状態で設置面Ｇに平行な一直線状に形成している。また、キャップ部材５の下壁部に逃がし部96を貫設している。
【００４５】
図18及び図19に示すように、ケース本体部１の横側壁部（上壁部）13に携帯情報端末機Ｓの上面が当接して上方への移動が規制された基準状態で、ケース本体部１とキャップ部材５は、表て面同士と、側面同士とが、面一状に接して、正面視で矩形状の輪郭を形成し、ケース本体部１とキャップ部材５で（全体として）携帯情報端末機Ｓの外側面と背面を保護する浅箱ケース体を構成する。
【００４６】
そして、図20に示すように、携帯情報端末機Ｓの縦置き使用状態において、ケース本体部１を折畳支持部３にて傾斜状に支持する際に、携帯情報端末機Ｓの背面側下端縁部Ｓｆに代わって、キャップ部材５の補足部51が設置面Ｇに当接するように設けている。
【００４７】
例えば、図18に示すように、携帯情報端末機Ｓの背面側下端縁部Ｓｆが下方突出円弧状に形成されている場合や、携帯情報端末機Ｓの下端部が丸山状や弯曲状に形成されている場合に、キャップ部材５を被せないと、携帯情報端末機Ｓの背面側下端縁部Ｓｆが設置面Ｇに点接触のようになって、縦置き姿勢が不安定となる。そこで、携帯情報端末機Ｓの下端部にキャップ部材５を被せることで、キャップ部材５が設置面Ｇに線接触して、縦置き姿勢を安定させることが可能となる。
【００４８】
なお、キャップ部材５の背面側下端縁部用の補足部51は、携帯情報端末機Ｓの背面側下端縁部Ｓｆが設置面Ｇに直接的に接触する場合に比べて、接触面積（接触点）が増加する形状であれば良い。例えば、波状や鋸刃状等複数の凹凸を有する形状とするも良い。
また、図示省略したが、キャップ部材５の縦側壁部52，52に、スライド操作用の滑り止め凹凸部を形成している。
【００４９】
次に、図21に示す別の実施形態を説明する。
ケース本体部１を、長手方向に沿った一対の縦側壁部11，11と幅方向に沿った一対の横側壁部13，13とを有する正面視矩形状の外壁部14と、背壁部12と、を有する浅箱型に形成し、ケース本体部１を縦方向にスライド不可能に取着している。図示省略するが横側壁部13，13に逃がし部96を設けている。また、凹溝部97を省略している。他の構成は、図４乃至図17の実施形態と同様である。
【００５０】
また、図示省略するが、図４乃至図21の実施の形態に於て、折畳支持部３に、鏡部材を固着して、携帯情報端末機Ｓがうつ伏せ姿勢となるようにケース本体部１を設置面Ｇに載置することで、（第１板部31や第２板部32に付設した）鏡部材を使用者が目視可能にするも良い。鏡部材は、Ｖ字状起立状態の第２板部32の表て面（収納状態においては携帯情報端末機Ｓの背面と対面状となる面）に設けるのが望ましい。
【００５１】
なお、本発明は、設計変更可能であって、指掛け用孔８の背面側開口形状（背面視形状）は、図示の円形に限らず、矩形状孔や、六角形等の多角形孔等自由である。また、指掛け用孔８を有底孔（非貫通孔）とするも良い。また、図示の指掛け用孔８は、１つの孔に１本の指先が掛かる大きさに形成したもの（１つの孔に２本の指先が掛からない大きさに形成したもの）であるが、１つの孔に２本乃至３本の指先が掛かるような大きさの孔とするも良い。また、背壁部12や折畳支持部３に、三角山型や丸山型等の指掛け用凸部を設けても良い。また、指逃がし孔９は、指掛け用孔８の表て面側開口縁部８ｂの孔横断面積以上の孔横断面積をもって貫設されたストレート状に形成するも良い。或いは、指逃がし孔９は、逆テーパ状指掛け用孔８と同等のテーパ角度をもって、指掛け用孔８と連続する逆テーパ状とするも良い。また、ケース本体部１や折畳支持部３やキャップ部材５に、エラストマー等のゴム製（高摩擦抵抗材質）の滑り止め部材を取着しても良い。また、ケース本体部１や折畳支持部３やキャップ部材５に、携帯ストラップやアクセサリー取付用の凸部や孔部を設けても良い。また、ケース本体部１と折畳支持部３とキャップ部材５の材質は金属や樹脂等自由である。また、携帯情報端末機Ｓは矩形状に限らず、長円形状や楕円形状であっても良く、ケース本体部１が抱き込み状に保持可能な縦側壁部（長辺縁部）11，11を有する形状であれば良い。また、ケース本体部１の横断面形状は、携帯情報端末機Ｓに抱き込み状に取着可能であれば、携帯情報端末機Ｓの形状に沿った円弧状やＣ字状等とするも良い。また、揺動片92の数は、１つ又は３つ以上等自由である。横置き用先端差込部15（縦置き用先端差込部16）は省略しても良い。
【００５２】
以上のように、表示面を有する携帯情報端末機Ｓに取着すると共に背面側に矩形状窓部10を有するケース本体部１を備え、窓部10の一長辺部10ａに揺動自在に設けられた第１板部31と、第１板部31の先端部31ｂに折り曲げ自在に設けられた第２板部32と、を有し、第１板部31と第２板部32とが折畳まれて窓部10に収納される収納状態と、第１板部31と第２板部32がＶ字状として後方へ引き出されて第２板部32がケース本体部１に係止されたＶ字状起立状態と、に切り換わる折畳支持部３を備え、携帯情報端末機Ｓの縦置き使用状態において、ケース本体部１をＶ字起立状態の折畳支持部３にて傾斜状に支持するように構成し、携帯情報端末機Ｓの横置き使用状態において、ケース本体部１と第２板部32の係止位置を変更して、携帯情報端末機Ｓの横置き姿勢の傾斜角度αを切換自在に構成したので、携帯情報端末機Ｓを横置きと縦置きに容易かつ迅速に切り換える（置き換える）ことができる。容易かつ迅速に所望の横置き姿勢の傾斜角度αをもって表示面を見ることができる。携帯情報端末機Ｓと一体状に嵩張らず容易に持ち運びできる。また、携帯情報端末機Ｓを容易かつ迅速に何処でも縦置き及び横置きできるため片手が不自由な人が直ぐに電子メール等の操作を行なうことができる。
【００５３】
また、ケース本体部１を携帯情報端末機Ｓに対して縦方向スライド自在に設け、ケース本体部１を縦方向にスライドさせて、携帯情報端末機Ｓの縦置き姿勢の傾斜角度βを変更自在に構成したので、携帯情報端末機Ｓを容易に所望の縦置き姿勢の傾斜角度βをもって縦置きできる。携帯情報端末機Ｓの縦置き姿勢の傾斜角度βを容易かつ迅速に無段階で調節できる。
【００５４】
また、折畳支持部３は、第２板部32にコの字状乃至Ｕ字状の切欠部をもって形成された揺動片92を有し、ケース本体部１は、第２板部32の先端部32ｂを係止する横置き用当り部17と、揺動片92を係止する係止用孔部19と、を有し、第２板部32の先端部32ｂと横置き用当り部17との係止状態と、第２板部32の揺動片92と係止用孔部19との係止状態と、に切り換えて、携帯情報端末機Ｓの横置き姿勢の傾斜角度αを切換自在としたので、ケース本体部１と別体の部材を着脱して支持するような手間がかからず、切換操作が簡単で、迅速に横置き姿勢の傾斜角度αを切り換ることができる。折畳支持部３の幅寸法を、縦置きや横置きに適した（安定して支持可能な）大きさに形成可能でありながら、横置き姿勢の傾斜角度αを切り換えることができる。
【００５５】
また、ケース本体部１は、Ｖ字状起立状態における第１板部31と第２板部32との稜線Ｑが、平面視で、ケース本体部１の幅方向略中央位置となるように、第２板部32を係止する縦置き用当り部18を有するので、横倒れや揺れが防止され、縦置き姿勢を安定支持できる。
【００５６】
以上のように本発明の携帯情報端末機用ケースは、表示面を有する携帯情報端末機Ｓに取着される携帯情報端末機用ケースであって、携帯情報端末機Ｓへの取着状態で、携帯情報端末機Ｓの背面側に対応する部位Ｐに、片手保持状態における携帯情報端末機Ｓの安定姿勢保持のための複数の指掛け用孔８を設けたので、片手保持状態において、携帯情報端末機Ｓが手に対して位置ズレせず（滑らず）、安定して姿勢を保持でき、タッチパネル等の操作部を容易かつ安全に（落とさずに）操作できる。また、携帯情報端末機Ｓを所望の角度に容易に傾斜できる。特に、子供等の手の平の小さい人や、高齢者等の握力の弱い人であっても、容易かつ確実に滑りを防止できる。特に、幅寸法が１１０ｍｍ以上２００ｍｍ以下のようなタブレット（型）ＰＣ等の携帯情報端末機Ｓを、プレゼンテーション等で、他人に表示面を見せるような場合に好適である。
【００５７】
また、指掛け用孔８は、背面側開口部に向かって孔横断面積が縮小する逆テーパ状に形成して、背面側開口縁部８ａが鋭角を成すので、指に食い込み状に引っ掛かって、指引っ掛かり状態（指係止状態）がより安定する。また、鋭角の背面側開口縁部８ａが指に食い込んで確実に滑り止めを行い得る。
【符号の説明】
【００５８】
８  指掛け用孔
８ａ  背面側開口縁部
Ｐ  部位
Ｓ  携帯情報端末機
【図１】
2014143586.tif 000003
【図２】
2014143586.tif 000004
【図３】
2014143586.tif 000005
【図４】
2014143586.tif 000006
【図５】
2014143586.tif 000007
【図６】
2014143586.tif 000008
【図７】
2014143586.tif 000009
【図８】
2014143586.tif 000010
【図９】
2014143586.tif 000011
【図１０】
2014143586.tif 000012
【図１１】
2014143586.tif 000013
【図１２】
2014143586.tif 000014
【図１３】
2014143586.tif 000015
【図１４】
2014143586.tif 000016
【図１５】
2014143586.tif 000017
【図１６】
2014143586.tif 000018
【図１７】
2014143586.tif 000019
【図１８】
2014143586.tif 000020
【図１９】
2014143586.tif 000021
【図２０】
2014143586.tif 000022
【図２１】
2014143586.tif 000023